(57)【特許請求の範囲】
【請求項１】
シャワー胴部、シャワーヘッド部又は両者の間の少なくとも１個所に、炭酸ガスマイクロバブル発生部が設けられている炭酸ガスマイクロバブル混合水を吐出するシャワー機器において、
前記炭酸ガスマイクロバブル発生部は、開閉機構を有し、炭酸入浴錠剤を収容するための炭酸入浴錠剤収容部が設けられ、
前記炭酸ガスマイクロバブル発生部には、少なくとも湯水の導入口側又は吐出口側のいずれか一方又は両方に、前記炭酸入浴錠剤に直接当たる水量を調整するための通水制限板が設けられた構成であり、
前記炭酸入浴錠剤の厚みが、その直径よりも薄肉であって、
前記炭酸入浴錠剤収容部への前記炭酸入浴錠剤の収容方向が、この炭酸入浴錠剤の直径方向が炭酸ガスマイクロバブル発生部内の通水方向と同方向であると共に、
前記炭酸入浴錠剤収容部が、一対の壁状体又は棒状体からなる錠剤支持部を有する構成であることを特徴とする炭酸ガスマイクロバブル混合水を吐出するシャワー機器。
【請求項２】
炭酸マイクロバブル発生部の開閉機構が、シャワー胴部又はシャワーヘッド部からなる固定基準体を基準として３６０度以内の回動によって開閉可能な構成であり、これにより、炭酸入浴錠剤の交換が可能な構成であることを特徴とする請求項１に記載のシャワー機器。
【請求項３】
炭酸マイクロバブル発生部を構成する炭酸入浴錠剤収容部の少なくとも一部が、透明性を有する材料で形成され、収容された炭酸入浴錠剤を外部から目視可能な構成であることを特徴とする請求項１又は２に記載のシャワー機器。
【請求項４】
通水制限板の少なくとも一部が、炭酸ガスマイクロバブル発生部から取り外し可能な構成であることを特徴とする請求項１〜３のいずれかに記載のシャワー機器。
【請求項５】
通水制限板が、開孔板又は網状体によって形成された構成であることを特徴とする請求項１〜４のいずれかに記載のシャワー機器。
【請求項６】
炭酸入浴錠剤収容部と通水制限板が、炭酸ガスマイクロバブル発生部から分離可能なカ
ートリッジ体であって、
この分離されたカートリッジ体の炭酸入浴錠剤収容部に、炭酸入浴錠剤が収容された後、このカートリッジ体が炭酸ガスマイクロバブル発生部に装填される構成であることを特徴とする請求項１〜５のいずれかに記載のシャワー機器。
【請求項７】
炭酸ガスマイクロバブル発生部には、湯水の導入口側及び吐出口側の両方に、通水制限板が設けられ、
吐出口側に設けられた通水制限板に、通水方向に沿って相対向して形成された一対の壁状体からなる錠剤支持部が設けられ、この一対の壁状体内に炭酸入浴錠剤が配置される構成であり、
導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする請求項１〜６のいずれかに記載のシャワー機器。
【請求項８】
炭酸入浴錠剤が、重炭酸塩、有機酸及びポリエチレングリコールの存在下で圧縮成形されて得られ、錠剤を湯水に溶かした直後のＰＨが５．５から８．５の範囲となり、錠剤の直径が２０ｍｍ以上であることを特徴とする請求項１〜７のいずれかに記載のシャワー機器。
【発明の詳細な説明】
【技術分野】
【０００１】
本発明は、血行促進などの炭酸泉入浴効果を著しく向上させ、マイクロバブル効果を併せ持つ炭酸ガスマイクロバブル混合水を簡易に得られるシャワー機器に関する。
【背景技術】
【０００２】
重炭酸塩（炭酸水素ナトリウム又は炭酸水素カリウム）と、有機酸とを含む混合物を打錠等によって成型し、発泡性組成物（固形物）とすることは、洗浄剤、入浴剤、風呂水清浄剤、プール用殺菌剤等の製品に適用されている。これらの製品（固形物）は、水に投入すると、その成分が反応して炭酸ガスを発生しつつ速やかに溶解する利点を有すると同時に、消費者に快適な使用感を与えるので商品価値を高める効果があり、特に浴剤（入浴剤ということもある。）においては、発生する炭酸ガスの血行促進効果が積極的に利用されている。
【０００３】
一方、マイクロバブルと称される、例えば直径０．０５ｍｍ以下の微細気泡は、濁水や排水の浄化処理、生活用水の殺菌等に広く利用されており、例えば、水浄化処理施設などの濁水処理槽中でマイクロバブルを発生した場合には濁水中に浮遊している汚濁物に気泡を付着させて浮上分離させることができ、湖沼や養殖池等の閉鎖水域でマイクロバブルを発生させた場合には水中への酸素の溶解を促すことができる等の効果を有するものである。
【０００４】
従来、このマイクロバブルを利用したマイクロバブルシャワーとして、旋回流を利用した水道水圧使用型のものが知られている（特許文献１参照）。
【０００５】
また、炭酸ガス発生成分を湯水に溶解させる技術と、マイクロバブルを発生させて液体中の浄化殺菌を行う技術とを組み合わせたものも知られている（例えば、特許文献２参照）。
【０００６】
特許文献１の技術は、各種入浴剤の如き炭酸ガス発生体を気体発生体として気液混合装置内に配設し、更に該気液混合装置の吐出口側をシャワーヘッドに接続する構成により、入浴成分とマイクロバブルとを混合した湯水をシャワーヘッドから吐出させ、このことによって、洗浄効果と血行促進等の健康増進効果をも期待できる技術である。
一方、炭酸ガス入浴錠剤をシャワーヘッド内の吐出口付近に収容した技術も知られている（特許文献３〜５参照）。
【先行技術文献】
【特許文献】
【０００７】
【特許文献１】特開２００８−２２９５１６号公報
【特許文献２】特開２０１１−１９４３９０号公報
【特許文献３】特許第４１７７６６０号
【特許文献４】実用新案登録第３１８３６３０号
【特許文献５】実用新案登録第３０６６５６１号
【発明の概要】
【発明が解決しようとする課題】
【０００８】
しかし、上記背景技術に挙げた公知技術では、水道水圧の水流による溶解によって従来の入浴剤成分や錠剤では、速やかに溶解してしまい、炭酸ガス発生浴剤の溶解持続時間がきわめて短く、また発泡する泡の径が極めて大きく、体に触れても皮膚や血管中への作用
は起き難いという問題があった。特に、シャワーによる湯水の掛流しの場合、シャワーヘッドから吐出する湯水は身体に触れた後は速やかに流れ落ちてしまうため、浴槽内の湯に漬かる場合に比して身体と湯水との接触時間が短く、接触熱容量も面積も大きくない。そのため、前記した炭酸成分による血行促進等の健康増進効果を得るには、身体への接触確立を最大にするためには泡の径が大きすぎること、及び、入浴錠剤の溶解持続時間が短いことが、致命的であることを本発明者らは突き止めた。
【０００９】
そこで、本出願人は、先に「炭酸ガス成分を混合したマイクロバブル混合水をシャワー吐出した場合であっても、通常のシャワーの使用時間中、炭酸成分を持続的に供給可能で、炭酸ガスの泡径がミクロサイズで体への接触量が大きく、かつ炭酸成分の経皮吸収効率が瞬間的に行われる炭酸入浴錠剤成分によって、血行促進等の健康増進効果を十分に発揮することが期待できるマイクロバブル混合水の製造器を提供すること」を課題とする特許出願（特願２０１２−２３６２８９）を行った。この先出願に係る発明は、その解決手段として、「湯水の導入口と吐出口との間に設けられたマイクロバブル発生部を有する通水路に導入された湯水と、前記マイクロバブル発生部に収容された炭酸入浴錠剤を湯水によって溶解させて得られるマイクロバブル（微細気泡）と、を混合し、前記吐出口から吐出させて、マイクロバブル混合水を得るマイクロバブル混合水の製造方法において、前記マイクロバブル発生部に収容される炭酸入浴錠剤が重炭酸塩、有機酸及びポリエチレングリコールの存在下で、圧縮成形して直径及び厚みがそれぞれ７ｍｍ以上、硬度が特定値以上であり、錠剤を湯水に溶かした直後のＰＨが５．５から８．５の範囲となる錠剤であることを特徴とするマイクロバブル混合水の製造器」を提案した。
【００１０】
この先出願に係る発明によれば、「炭酸ガス成分の発生が長時間持続することになるので、炭酸ガス成分が溶解したマイクロバブル混合水と身体との接触時間が長くなり血行促進等の健康増進効果の向上を手軽に図ることができる」等の効果を得ることができる。
【００１１】
しかし、本発明者らは、この先出願に係る発明について、更に研究を続けたところ、マイクロバブル混合水の製造器に収容される炭酸入浴錠剤についての工夫だけでは、強い水流に曝され、急速に、短時間で溶解してしまい、重炭酸イオンの身体への接触時間が短くなり、身体を温める十分な効果が得られ難い不都合があるだけではなく、前半に高い濃度の重炭酸シャワーを浴びてしまい、後半は水だけの淡水シャワーとなってしまうため、シャワーを浴びる１回のバスタイム内で、新たな錠剤に交換しなければならず、洗剤やシャンプー剤等で手が滑る中で、シャワーヘッドの開放部を開けての交換作業は煩雑でやり難いという問題点があることを見出した。
【００１２】
以上のことから、本発明の課題は、炭酸入浴錠剤を収容したマイクロバブル混合水を製造するためのシャワー機器を使用して、炭酸ガスマイクロバブル混合水をシャワー吐出する場合において、血行促進等の健康増進効果を高め、適度な濃度の重炭酸シャワーを長時間享受できる効果を維持しつつ、炭酸入浴錠剤の溶解速度を最適化し、該錠剤を長持ちさせ、該錠剤の交換頻度を減少させることで、ランニングコストも抑えることができると共に、該錠剤を簡単かつ容易に短時間で交換・装填することができる構成の炭酸ガスマイクロバブル混合水を吐出するシャワー機器を提供することにある。
【課題を解決するための手段】
【００１３】
上記課題を解決する本発明は、下記構成を有する。
【００１４】
１．シャワー胴部、シャワーヘッド部又は両者の間の少なくとも１個所に、炭酸ガスマイクロバブル発生部が設けられている炭酸ガスマイクロバブル混合水を吐出するシャワー機器において、
前記炭酸ガスマイクロバブル発生部は、開閉機構を有し、炭酸入浴錠剤を収容するための炭酸入浴錠剤収容部が設けられ、  
前記炭酸ガスマイクロバブル発生部には、少なくとも湯水の導入口側又は吐出口側のいずれか一方又は両方に、前記炭酸入浴錠剤に直接当たる水量を調整するための通水制限板が設けられた構成であり、
前記炭酸入浴錠剤の厚みが、その直径よりも薄肉であって、
前記炭酸入浴錠剤収容部への前記炭酸入浴錠剤の収容方向が、この炭酸入浴錠剤の直径方向が炭酸ガスマイクロバブル発生部内の通水方向と同方向であると共に、
前記炭酸入浴錠剤収容部が、一対の壁状体又は棒状体からなる錠剤支持部を有する構成であることを特徴とする炭酸ガスマイクロバブル混合水を吐出するシャワー機器。
【００１５】
２．炭酸マイクロバブル発生部の開閉機構が、シャワー胴部又はシャワーヘッド部からなる固定基準体を基準として３６０度以内の回動によって開閉可能な構成であり、これにより、炭酸入浴錠剤の交換が可能な構成であることを特徴とする前記１に記載のシャワー機器。
【００１６】
３．炭酸マイクロバブル発生部を構成する炭酸入浴錠剤収容部の少なくとも一部が、透明性を有する材料で形成され、収容された炭酸入浴錠剤を外部から目視可能な構成であることを特徴とする前記１又は２に記載のシャワー機器。
【００１７】
４．通水制限板の少なくとも一部が、炭酸ガスマイクロバブル発生部から取り外し可能な構成であることを特徴とする前記１〜３のいずれかに記載のシャワー機器。
【００１９】
５．通水制限板が、開孔板又は網状体によって形成された構成であることを特徴とする前記１〜４のいずれかに記載のシャワー機器。
【００２２】
６．炭酸入浴錠剤収容部と通水制限板が、炭酸ガスマイクロバブル発生部から分離可能なカートリッジ体であって、
この分離されたカートリッジ体の炭酸入浴錠剤収容部に、炭酸入浴錠剤が収容された後、このカートリッジ体が炭酸ガスマイクロバブル発生部に装填される構成であることを特徴とする前記１〜５のいずれかに記載のシャワー機器。
【００２４】
７．炭酸ガスマイクロバブル発生部には、湯水の導入口側及び吐出口側の両方に、通水制限板が設けられ、
吐出口側に設けられた通水制限板に、通水方向に沿って相対向して形成された一対の壁状体からなる錠剤支持部が設けられ、この一対の壁状体内に炭酸入浴錠剤が配置される構成であり、
導入口側に設けられた通水制限板は、前記一対の壁状体の内側を通過する湯水を通す通水孔が設けられると共に、前記一対の壁状体の外側を通過する湯水を通す外側通水孔が設けられた開孔板によって形成された構成であることを特徴とする前記１〜６のいずれかに記載のシャワー機器。
【００２５】
８．炭酸入浴錠剤が、重炭酸塩、有機酸及びポリエチレングリコールの存在下で圧縮成形されて得られ、錠剤を湯水に溶かした直後のＰＨが５．５から８．５の範囲となり、錠剤の直径が２０ｍｍ以上であることを特徴とする前記１〜７のいずれかに記載のシャワー機器。
【００２６】
本発明の好ましい実施態様は、次の通りである。
（１）炭酸入浴錠剤が、重炭酸塩（炭酸水素ナトリウム又は炭酸水素カリウム）に対し１／１０から１／３の有機酸及び１／１００から１／５のポリエチレングリコールの存在下に圧縮成型した錠剤において、錠剤を溶解した直後の水溶液のＰＨが５．５から８．５であり、錠剤の硬度が１５ｋｇｆ以上の錠剤であることを特徴とする前記１〜１２のいずれかに記載のシャワー機器。
【００２７】
（２）炭酸入浴錠剤が、重炭酸塩の１／１００から１／１０の範囲で下記無水物を含有する錠剤であることを特徴とする前記１〜１２のいずれかに記載のシャワー機器。
無水物：無水炭酸ナトリウム、無水炭酸カリウム
【００２８】
（３）炭酸入浴錠剤が、ｎ−（ノルマル）オクタンスルフォン酸ナトリウムやテトラデセンスルフォン酸ナトリウム、ラウロイルサルコシン酸ナトリウム、ミリストイルメチルアラニンナトリウムから選ばれる１種を含有する錠剤であることを特徴とする前記１〜１２のいずれかに記載のシャワー機器。
【００２９】
（４）炭酸入浴錠剤が、着色成分及び／又は芳香成分を含有する構成であることを特徴とする前記１〜１２のいずれかに記載のシャワー機器。
【発明の効果】
【００３０】
前記１に示す発明によれば、炭酸ガスマイクロバブル発生部の導入口側又は吐出口側のいずれか一方又は両方に、通水制限板が設けられたことで、炭酸入浴錠剤に直接当たる水量を調整することができるため、最適な錠剤濃度の混合水をシャワー吐出することができる。これにより、マイクロバブル効果により発生した炭酸ガスが、シャワーヘッド内で中和され、より最適なスピードで重炭酸イオンに変化しながら使用者の身体全体に接触し、皮膚から血管に吸収される効率を高めることができる。もし、錠剤に直接当たる水量が多過ぎる場合には、発生した炭酸ガスが中和され、重炭酸イオンに変化することができず、炭酸ガスのままシャワー吐出され濃度が上がってしまい、十分な温浴効果が得られないばかりか、錠剤の無駄になってしまうので、この点を解消することができる。即ち、本発明では、シャワー吐出量を維持しつつ、湯水と錠剤の接触水量のみを調整し、該錠剤の溶解速度を緩慢にさせることで、該錠剤の溶解時間を延ばし、交換頻度を減少させることができ、ランニングコストも抑えることができるという顕著な効果を発揮することができる。
【００３１】
また、炭酸ガスマイクロバブル発生部に開閉機構を備える構成であるため、収容される炭酸入浴錠剤を、簡単かつ容易に短時間で交換・装填することができる。
【００３２】
前記２に示す発明によれば、炭酸入浴錠剤収容部への錠剤の交換について、炭酸マイクロバブル発生部の開閉機構の開閉操作が、シャワー胴部又はシャワーヘッド部からなる固定基準体を基準として３６０度以内の回転というワンタッチ操作で可能であり、該錠剤を
簡単かつ容易に短時間で交換・装填することができる。これにより、シャワーの開始時は、湯の温度が低温であるため、適温に温まるまでの間は真水（錠剤を取り外した状態でのシャワー吐出）を吐出し、錠剤の無駄使いを防ぐことができる。また、例えば、最初のシャワーで一次汚れの洗浄を真水（錠剤を取り外した状態でのシャワー吐出）で行い、一次汚れが取れ、全身エステのようなシャワーを楽しみたいと意図した時点で、炭酸ガスマイクロバブル混合水によるシャワーを浴びるため、ワンタッチ操作で錠剤を収容・装填することができる。
【００３３】
前記３に示す発明によれば、炭酸入浴錠剤収容部が、透明性を有する材料で形成されることにより、収容された炭酸入浴錠剤を外部から目視することが可能であるため、該錠剤の溶解状況や、該収容部を通過する水量を視認することができる。
【００３４】
前記４に示す発明によれば、錠剤の溶解を制限していた通水制限板を取り外して使用することができ、短時間で錠剤が溶解し終えるように使用することもできる。
このように使用することで、炭酸濃度を十分に高め、高濃度のシャワーを浴びることができ、炭酸による肌のツルツル、スベスベ感を十分に味わうことができる。錠剤は短時間で溶解してしまうが、新たな錠剤を装填することで長時間のシャワー使用が可能であり、贅沢な使用が可能となる。
【００３５】
また、、十分なシャワー時間を取れない時間的な制約がある入浴の場合など、通水制限板を取り外して使用することによって、炭酸入浴錠剤を短時間で溶解させ、一度のシャワーで使い切ってしまうことができる。このように使用することで、錠剤がシャワー機器の中に残り、この錠剤が固まることによって、シャワー機器の故障の原因になるといった不具合を防ぐこともできる。
【００３６】
前記１に示す発明によれば、厚みが直径より薄肉の炭酸入浴錠剤が、炭酸入浴錠剤の直径方向が通水方向と同方向に、該錠剤が炭酸入浴錠剤収容部に収容されることで、湯水が該錠剤に当たる面積を減少し、シャワー吐出される水量を減少させずに該錠剤の溶解時間を緩慢にさせることができる。即ち、該錠剤に湯水が直接当たる面積が最小化できるので、通水量を維持したまま、該錠剤の湯水への接触を大幅に減少させて、溶解時間を大きく制限することができ、シャワー吐出される水量を落とさずに、該錠剤を長持ちさせることができる。従来から知られているシャワーヘッド内に錠剤が収容される構成では、湯水が、錠剤の平面に直接当たるように収容されているので、シャワー吐出される水量を増やすと、錠剤の溶解時間も速まってしまい、快適なシャワー吐出の水量と、錠剤の溶解時間を長くすることを両立させることができなかった。
【００３７】
尚、炭酸ガスマイクロバブル混合水のシャワーによる健康効果を得るために必要な時間は、６分から８分であり、平均的なシャワー時間もこの時間内である。１回の錠剤装填で５分から８分の範囲で錠剤が溶解するように設計しても、心地よい水量を得るためには、錠剤の周面に水流が当たり、接触面積を小さく止めることができる本発明を使用したシャワー機器が好ましいことがわかる。
この場合、炭酸マイクロバブル混合水をシャワー吐出した場合であっても、血行促進等の健康増進効果を得ることができ、該錠剤を長持ちさせ、該錠剤の交換頻度を減少させることで、健康効果を高めながらランニングコストを抑えることもできる。
【００３８】
前記５に示す発明によれば、通水制限板を開孔板又は網状体によって形成することで、錠剤に直接当たる水量を簡単な構造で制限し、最適な溶解時間を調整することができる。また、必要に応じて、通過可能な水量が異なる通水制限板に変更すれば、錠剤の溶解速度を調整することができる。開孔板又は網状体は、簡単な構造であるため、通過可能な水量の調整が容易にできる他、メンテナンス性がよく、製造コストを抑えることもできる。
【００３９】
前記１に示す発明によれば、炭酸入浴錠剤収容部が、一対の壁状体又は棒状体によって形成された錠剤支持部を備えることによって、炭酸入浴錠剤を所定の方向に確実に固定することができ、水流を乱すこともなく、簡単な構造で前記１における効果を確実に得ることができる。
【００４０】
参考発明として、炭酸入浴錠剤収容部が、通水制限板の一部に設けられ炭酸入浴錠剤の一部が嵌入される凹部からなる錠剤支持部を有する構成を挙げることができる。
この参考発明によれば、通水制限板の一部に形成された凹部に、炭酸入浴錠剤を嵌入させることで、該錠剤を所定の方向に確実に固定することができ、簡単な構造で前記５における効果を確実に得ることができる。
【００４１】
前記６に示す発明によれば、炭酸入浴錠剤収容部と通水制限板とを、１つのカートリッジ体として構成し、これを炭酸ガスマイクロバブル発生部から取り外して分離することが可能であり、この分離されたカートリッジ体の炭酸入浴錠剤収容部に、炭酸入浴錠剤を収容した後、このカートリッジ体を炭酸ガスマイクロバブル発生部に装填することができる。
このような構成を採用することによって、炭酸入浴錠剤の交換作業を容易化することができ、更に、このカートリッジ体をシャワー機器から取り外した状態で使用することも可能となり、これによって、通常のシャワー機器として使用することもできる。
【００４２】
また、分離されたカートリッジ体の通水制限板は、カートリッジ体から取り除くことができ、この通水制限板がない状態でカートリッジ体を炭酸ガスマイクロバブル発生部に装填することもできる。
更に、分離されたカートリッジ体の通水制限板を、他の通水制限板（例えば、開口の大きさや数を変えて、開孔率を大・小変化させたものであって、通過可能な水量が異なるもの。）に取り替えることができる。
このように、通水制限板を取り除いたり、他のものに取り替えることによって、炭酸ガスマイクロバブル発生部を通過する水量を調整することができ、これにより、炭酸入浴錠剤の溶解速度を調整することができる。
【００４３】
参考発明として、通水制限板が、炭酸入浴錠剤を包囲して収容可能であり、炭酸入浴錠剤収容部を兼ねる構成であると共に、炭酸ガスマイクロバブル発生部から分離可能なカートリッジ体であって、この分離されたカートリッジ体に、炭酸入浴錠剤が収容された後、このカートリッジ体が炭酸ガスマイクロバブル発生部に転動可能に収容される構成を挙げることができる。
この参考発明によれば、通水制限板を、炭酸入浴錠剤の少なくとも一部を収容可能な構成とすることによって、これが炭酸入浴錠剤収容部を兼ねることができる。また、この錠剤収容部を兼ねた通水制限板が、炭酸ガスマイクロバブル発生部から分離可能なカートリッジ体であるため、この分離されたカートリッジ体に、炭酸入浴錠剤を収容した後、このカートリッジ体を炭酸ガスマイクロバブル発生部に収容することができる。
このような構成を採用することによって、炭酸入浴錠剤の交換作業を容易化することができ、更に、このカートリッジ体をシャワー機器から取り外した状態で使用することも可能となり、これによって、通常のシャワー機器として使用することもできる。
【００４４】
また、錠剤収容部を兼ねた通水制限板からなるカートリッジ体は、炭酸入浴錠剤を通水制限板で取り囲む態様となるため、任意の方向からの水流に曝されたとしても、この炭酸入浴錠剤に当たる水流を減ずることができる。従って、このカートリッジ体がマイクロバブル発生部に転動可能に収容されたとしても、炭酸入浴錠剤の溶解時間を調整することができる。
【００４５】
前記７に示す発明によれば、炭酸ガスマイクロバブル発生部の導入口側及び吐出口側の両方に、通水制限板が設けられたことにより、この両通水制限板に炭酸入浴錠剤が挟まれて収容される態様となり、該錠剤を炭酸入浴錠剤収容部に止まらせることができる。
また、吐出口側に設けられた通水制限板に、通水方向に沿って相対向して形成された一対の壁状体からなる錠剤支持部が設けられたことにより、炭酸入浴錠剤を所定の方向に支持しつつ、吐出口側に流出することを防ぐこともできる。更に、炭酸入浴錠剤が、この一対の壁状体に挟持される構成により、該錠剤の側面が壁状体に接することで湯水による水流に曝されず、該錠剤の湯水との接触面積を狭くすることができ、錠剤の溶解をより緩慢にすることができる。
【００４６】
また、導入口側に設けられた通水制限板に、一対の壁状体の内側を通過する湯水を通す通水孔が設けられ、前記一対の壁状体の外側を通過する湯水を通す外側通水孔（開孔が大きいか又は多数個の通水孔が好ましい。）が設けられたことにより、前記通水孔を通過した湯水が、一対の壁状体の内側に収容される錠剤に接し、他方、前記外側通水孔を通過した湯水は、一対の壁状体の外側を通過して錠剤には触れないので、錠剤に接する水量を制限しつつ、シャワー機器全体を通過可能な水量を維持することができる。
【００４７】
前記８に示す発明によれば、炭酸ガスマイクロバブル混合水をシャワー吐出した場合も、持続時間を長くでき、効率よく炭酸成分を経皮させ、血行促進等の健康増進効果を期待することができるという効果を発揮する。
【００４８】
特に、従来知られている炭酸水素ナトリウムと有機酸からなる入浴剤であっても、本発明の如く、直径が２０ｍｍ以上で、湯水に溶解した場合のＰＨが５．５から８．５である炭酸入浴錠剤とし、これを用いたことにより、炭酸ガスマイクロバブル混合水と身体との接触によって、重炭酸イオンが効率よく血管に吸収され、血行促進等の健康増進効果の向上を手軽に図ることができる。
なお、本発明の炭酸入浴錠剤を用いた場合の炭酸ガスマイクロバブル混合水によれば、水道水のカルキ臭を著しく抑制乃至は消滅させることが可能である。
【００４９】
前記８に示す本発明の作用効果、即ち、使用する炭酸入浴錠剤を限定したことによる作用効果について、以下に詳述する。
従来、重炭酸塩と有機酸とを組合わせて錠剤化すると、湯水に溶かした場合、溶解しながら激しく中和反応が起き、大きな径の炭酸ガスの泡が発生し、かつ泡が合併し大きくなり、炭酸ガスは、速やかに空気中に逃げて出てしまい、湯水に溶解する炭酸ガス濃度が著しく低いという欠点があった。
【００５０】
炭酸ガスは本来、湯水に溶け難い性質のものであり、温度が上がるとさらに溶解度が低下し、湯水中の炭酸ガス濃度は、限りなく低くなりシャワーでは水の厚みがないため炭酸ガスは直ちに空気中に逃げてしまうきらいがあり、シャワーで高い濃度の炭酸水を作ることはできなかった。
【００５１】
そのためシャワー湯水中の炭酸ガス濃度は極めて低く、経皮吸収で血管に溶ける炭酸は少なく、体が温まる等の入浴効果が全く得られないという問題が起こってしまっていたことを発明者らは突き止めた。
【００５２】
自然の炭酸泉は炭酸ガス濃度が１０００ｐｐｍ以上であることが条件ともいわれているが、これは地下の高圧下で、炭酸ガスが高濃度に溶解したものであり、弱酸性であることが多いとされる。しかし、本発明者らの研究では、自然炭酸泉の弱酸性はＰＨ値が弱酸性を示しているだけで、酸性成分によるものではなく、わずかな酸性物質が溶解しているだけで、力価はなく、わずかな中性物質やアルカリ物質に触れるだけで容易に中和されてしまうようなごく弱い弱酸性である場合が多いことを突き止めた。
【００５３】
一般には、自然炭酸泉が弱酸性ということに加え、炭酸ガス濃度は１０００ｐｐｍ以上を炭酸泉と呼ぶという通説に惑わされ炭酸ガス濃度さえ高ければよいと考え、入浴剤を酸性で激しく中和反応を起こさせ、肌に泡が付くようにしたのが一般的であったが、浴剤が
酸性では炭酸ガスは限りなくガスとして液外に揮散してしまう性質があり、泡の径も大きく、水の厚みがないシャワーでは瞬時に空気中にガスは出てしまい、湯中の炭酸ガスはほとんどなく体の温まり効果も得られないことが分かった。
【００５４】
本発明者らは、それ故にシャワー湯水中への炭酸ガスの発生は湯水中に炭酸ガスが容易に溶解しやすいミクロサイズで持続的に発生させ、溶解後のＰＨを中性として、炭酸成分を空気中に逃がさず、十分な炭酸成分の濃度を継続的にシャワー湯中に溶存せしめ、かつこの炭酸ガスを溶解したシャワー水が肌を伝わる間の瞬時にかつ容易に皮膚から血管中に吸収させられるような重炭酸イオンへの変換を起こさせる反応をさせなければならないし、炭酸ガスが皮膚から血管に吸収されるには、浴剤が限りなく体液のＰＨ値に近い中性でなければならないことも突き止めた。
【００５５】
即ち、本発明者らが自然炭酸泉の効果を詳しく検討した結果、自然炭酸泉では泉水が弱酸性であっても、酸性成分によるものではなく、わずかなマイナスイオンの解離による、力価のない弱酸性（有機酸過剰ではない酸性。）であり、皮膚や毛髪など体液に触れただけで炭酸ガスが中和され重炭酸イオンとして中性の血液中に吸収されるのであって、炭酸ガスが直接経皮吸収されるということはなく、従来の炭酸ガスが直接経皮吸収され、あたかも血液中で炭酸ガスが溶けているように説明されているのは間違いであることを突き止めただけではなく、この誤った説明のため、市販の入浴剤はＰＨ値だけ自然炭酸泉の値を真似して有機酸を過剰に入れ炭酸ガスを発泡させやすい弱酸性にしても、発泡だけしても泡の径は大きく、酸性のため泡はすぐに空気中に逃げてしまい、肌に触れても体液で中和することができず、結果として重炭酸イオンにはなれないため、経皮吸収されて血管中に溶解することができなかったことを突き止めた。
【００５６】
一般に、炭酸泉の効果の説明で、炭酸ガスが直接皮膚から経皮吸収されると記述されているが、これは全くの誤りであり、「炭酸ガスが直接経皮吸収され血管中に溶解するのであれば、なぜ空気中の炭酸ガスは経皮吸収されないのか」という矛盾にぶつかり、炭酸ガスを充満させた部屋での実験でも空気中では経皮吸収されないことが立証されている。
【００５７】
血液や皮膚表面の体液のほとんどは中性で、ＰＨ７．２から７．４程度である。体液が中性だとすれば、炭酸成分は化学的には重炭酸イオンとしてしか存在せず血管に経皮吸収される成分は重炭酸イオンであり、血液中の溶解状態も重炭酸イオンでしかないはずである。
【００５８】
本発明の好ましい実施態様によれば、一定硬度以上の錠剤中で反応させ、十分細かいミクロサイズの炭酸ガスの発泡を得て、再び溶解後のＰＨが中性の錠剤外の液の体液と同じ中性の状態で重炭酸イオンに戻されることで、この炭酸ガスを経由した重炭酸イオンのみがごく短いシャワーという皮膚接触時間に経皮吸収される。即ち、一定サイズで一定値以上の高硬度の錠剤の内部での発泡反応がマイクロバブルの炭酸ガスを発生させる意味で重要であり、溶解後のシャワー水のＰＨが発生した炭酸ガスを重炭酸イオンに変え、容易に経皮吸収によって血管中に溶解し、血行を高め、体を温めるなどの自然炭酸泉に近い効果を発揮するものと推定している。
【００５９】
ＰＨの規定は、錠剤の溶解が０．０５％から０．５％程度の濃度でのＰＨとして測定するのがシャワー水の実態に合わせ妥当である。
このＰＨ測定は溶解直後のＰＨであることが好ましく、ＰＨが中性であっても湯水中の重炭酸イオンは炭酸ガスを揮散させ、徐々に上昇し、たとえば溶解直後の水のＰＨが７．０であっても２４時間後には７．５程度となり、エアを入れて発泡させれば、炭酸ガスが揮発し、ＰＨは８．５を超えてしまうこともある。それゆえに本発明におけるＰＨの規定は、炭酸入浴錠剤の湯水中への溶解直後とする。
【００６０】
本発明の好ましい実施態様の効果について、更に詳述する。
前記（１）及び（２）に示す好ましい本発明によれば、効率よく長時間一定径以下のミクロサイズの炭酸ガス泡をゆっくり発生させ続けられるようになり、湯水に溶解する炭酸ガスを重炭酸イオンとして高濃度に溶解させることができる。
【００６１】
特に、従来から知られている炭酸水素ナトリウムと有機酸からなる市販の炭酸入浴錠剤であっても、本発明の如く、直径が２０ｍｍ以上で、湯水に溶解した場合のＰＨが５．５から８．５とすれば、炭酸ガスマイクロバブル混合水で発生した炭酸ガスの気泡を極めて細かいマイクロサイズとすることができ、炭酸マイクロガスが身体と接触するまでに十分中和されて重炭酸イオンに変化し、ＰＨが７．４５である中性の血管にそのまま効率よく吸収され、血行促進等の健康増進効果を手軽に得ることができる。
【００６２】
尚、より好ましいマイクロサイズの炭酸ガスを発生されるためには、錠剤の硬度を１５ｋｇｆ以上とすることが好ましく、これにより、血行促進効果がより高まり、体温上昇効果も得られることがわかった。尚また、本発明により得られた炭酸ガスマイクロバブル混合水によれば、水道水のカルキ臭を著しく抑制乃至は消滅させることが可能である。
【００６３】
前記（３）に示す好ましい本発明によれば、シャワー湯水を白濁させることなく、透明のシャワー湯水を維持できる。
【００６４】
前記（４）に示す好ましい本発明によれば、吐出される湯水が着色されるか、及び／又は芳香を放っているかによって、炭酸入浴錠剤が溶解していることがわかり、湯水が無着色になるか、無香になることによって、炭酸入浴錠剤が全て溶解して無くなったことを五感によって把握することができる。従って、新規の炭酸入浴錠剤の効用時間が容易にわかるだけでなく、湯水の着色及び／又は芳香によって、炭酸ガス成分が湯水に混合している状態であることを五感によって認識することができる。
【図面の簡単な説明】
【００６５】
【図１】本発明に係るシャワー機器の一実施例を示す分解斜視図
【図２】本発明に係るシャワー機器の一実施例を示す概略構成図
【図３】炭酸入浴錠剤収容部における錠剤支持部の第１構成例を示す概略構成図
【図４】炭酸入浴錠剤収容部における錠剤支持部の第２構成例を示す概略構成図
【図５】炭酸入浴錠剤収容部における錠剤支持部の第３構成例を示す概略構成図
【図６】本発明に係るシャワー機器の他の実施例を示す概略構成図
【図７】炭酸ガスマイクロバブル発生部の配設位置（１）を例示する概略構成図
【図８】炭酸ガスマイクロバブル発生部の配設位置（２）を例示する概略構成図
【図９】炭酸ガスマイクロバブル発生部の配設位置（３）を例示する概略構成図
【図１０】実施例１に係るシャワー機器を示す分解斜視図
【図１１】実施例１における導入口側通水制限板を示す概略平面図
【図１２】実施例１における吐出口側通水制限板及び錠剤支持部を示す概略平面図及び概略側面図
【図１３】実施例１における錠剤収容部と接続部との係合手段を説明する図
【図１４】実施例２に係るシャワー機器を示す分解斜視図
【図１５】実施例２における導入口側通水制限板及び錠剤支持部を示す概略平面図及び概略側面図
【図１６】実施例３に係るシャワー機器を示す概略構成図
【発明を実施するための形態】
【００６６】
以下、本発明に係るシャワー機器について、図面に基づき説明する。
【００６７】
本発明は、炭酸泉入浴効果とマイクロバブル効果を併せ持つ炭酸ガスマイクロバブル混合水を簡易に得られるシャワー機器についての技術であり、炭酸ガス成分とマイクロバブルとを混合した湯水をシャワー吐出させることによって、洗浄効果と血行促進等の健康増進効果をも期待できる技術である。
【００６８】
本発明において、「湯水」とは、いわゆる水、若しくは加温乃至は加熱してある湯又はこの両者の混合物をいう。また、「マイクロバブル」とは、いわゆる微細気泡と称されるものをいう。なお、本発明において、「量」は特に断りのない限り「質量」を表し、「％」は特に断りのない限り「質量％」を表し、「部」は特に断りのない限り「質量部」を表す。
【００６９】
本発明に係るシャワー機器１の一実施例を示す分解斜視図を、図１に示す。また、本発明に係るシャワー機器１の一実施例を示す概略構成図を、図２に示す。
シャワー機器１は、湯水の吐出口１３を有するシャワーヘッド部１１と、使用時に持ち手の柄となり湯水の導入口１４を有するシャワー胴部１２と、を有する構成であり、これに、炭酸入浴錠剤Ｔを収容する炭酸ガスマイクロバブル発生部２が設けられた構成である。シャワー機器１への湯水の供給は、シャワー胴部１２に接続されるホース３による。
【００７０】
尚、図１において、シャワーヘッド部１１とシャワー胴部１２とは、一体的に形成された一体型構成であってもよいし、別体で形成されたものを一体となるように接続或いは結合したものでもよいし、シャワーヘッド部１１がシャワー胴部１２に対して向きや角度を変えられるように直接又は間接的に接続されたものであってもよい。
また、シャワー機器１は、シャワー胴部１２を有さない構成であってもよく、かかる構成は後述する実施例３において説明する。
【００７１】
炭酸ガスマイクロバブル発生部（以下、単に「マイクロバブル発生部」ともいう。）２は、シャワー胴部１２に設けられ、このシャワー胴部１２の湯水の導入口１４からシャワーヘッド部１１に及ぶ通水路、即ち、湯水の送水経路に設けられる。これにより、該通水路内を通る湯水によって、マイクロバブル発生部２に収容される炭酸入浴錠剤Ｔを溶解し、この溶解によって発生した炭酸ガスが、湯水中においてマイクロバブル（微細気泡）となって、該湯水と混合して炭酸ガスマイクロバブル混合水となる。
【００７２】
マイクロバブル発生部２に収容される炭酸入浴錠剤Ｔは、直径２０ｍｍ以上であって、厚みが直径より薄肉の錠剤であることが好ましい。この炭酸入浴錠剤Ｔについては、後に詳述する。
【００７３】
次に、マイクロバブル発生部２への炭酸入浴錠剤Ｔの収容構成について説明する。
マイクロバブル発生部２には、炭酸入浴錠剤収容部（以下、単に「錠剤収容部」ともいう。）２１が設けられる。この錠剤収容部２１には、炭酸入浴錠剤Ｔが収容され、炭酸入浴錠剤Ｔの直径方向が、通水方向Ｗと同方向ないし略平行になるように収容される。この炭酸入浴錠剤Ｔが収容される方向を、「縦収容方向」という。前述のとおり、炭酸入浴錠剤Ｔは厚みが直径より薄肉の形状であることが好ましく、この炭酸入浴錠剤Ｔが、前記縦収容方向に収容されることで、強い水流に直接曝される表面積を小さく止めることができ、これにより溶解速度が減じられる。このように、溶解速度が減じられ最適化されることによって、炭酸入浴錠剤Ｔは長時間に亘ってマイクロバブルの発生を継続する。
【００７４】
なお、錠剤収容部２１は、実施例の記載や図面では１つの炭酸入浴錠剤Ｔを収容する構成であるが、２以上の炭酸入浴錠剤Ｔを収容可能な構成を採用してもよい。この場合、２以上の炭酸入浴錠剤Ｔは、直列に収容されてもよいし、並列に収容されてもよい。
【００７５】
錠剤収容部２１には、炭酸入浴錠剤Ｔを縦収容方向に固定するため、錠剤支持部２２が設けられる。図３〜図５は、錠剤支持部２２の構成例を示す概略構成図であり、図中左列には側面から観察した場合における概略構成図を、右列には左図についての概略断面図をそれぞれ表す。
【００７６】
錠剤支持部２２は、例えば、図３に示されるように、通水方向Ｗに沿って形成された一対の棒状体によって設けることができる。この一対の棒状体によって、炭酸入浴錠剤Ｔを挟持することで、炭酸入浴錠剤Ｔを縦収容方向に支持及び固定することができる。
【００７７】
また、例えば、図４に示されるように、通水方向Ｗに沿って形成された一対の壁状体によって設けることができる。同じく、この一対の壁状体の間に、炭酸入浴錠剤Ｔを配置することで、炭酸入浴錠剤Ｔを縦収容方向に支持及び固定することができる。
【００７８】
更にまた、錠剤支持部２２は、例えば、図５に示されるように、後述する通水制限板２３の一部に、炭酸入浴錠剤の一部が嵌入される凹部２３Ｃを形成することで設けることもできる。この場合、通水制限板２３は炭酸入浴錠剤Ｔを挟む状態で導入口１４側及び吐出口１３側の両方に設けられ、両方の又は一方の通水制限板２３に設けられた凹部２３Ｃに炭酸入浴錠剤Ｔを嵌入させ、かつ通水制限板２３で炭酸入浴錠剤Ｔを挟持することで、炭酸入浴錠剤Ｔを縦収容方向に支持及び固定することができる。凹部２３Ｃは、導入口側通水制限板２３Ａ又は吐出口側通水制限板２３Ｂのいずれか一方に設けてもよいし、両方に設けてもよい。
【００７９】
通水制限板２３に設けられた凹部２３Ｃは、図３又は図４に示される棒状体又は壁状体と共に錠剤支持部２２を構成してもよいし、単独で錠剤支持部２２を構成してもよい。
【００８０】
マイクロバブル発生部２には、炭酸入浴錠剤Ｔの収容位置の上流側又は下流側、即ち湯水の導入口１４側又は吐出口１３側のいずれか一方又は両方に、炭酸入浴錠剤Ｔに接触する水量を減じるための通水制限板２３が設けられる。ここで、湯水の導入口側１４に設けられた通水制限板を導入口側通水制限板２３Ａといい、湯水の吐出口１３側に設けられた通水制限板を吐出口側通水制限板２３Ｂという。また、本発明において、単に通水制限板２３と記載した場合は、特に断りが無い限り、導入口側通水制限板２３Ａ又は吐出口側通水制限板２３Ｂの両方又はいずれか一方を指し示すこととする。
通水制限板２３は、湯水が通過可能な隔壁構成であり、例えば、複数の通水孔が設けられた開孔板やメッシュ体の如き網状体によって形成することができる。
【００８１】
通水制限板２３が、湯水の導入口１４側又は吐出口１３側のいずれか一方に設けられる場合は、導入口１４側のみに導入口側通水制限板２３Ａが設けられることが好ましい。この場合、通水路を流れる湯水は、導入口１４側から流れるので、導入口１４側からの水圧が強く、この水圧を導入口側通水制限板２３Ａによって制限することで、炭酸入浴錠剤Ｔの溶解速度を緩慢にさせ、該錠剤Ｔを長持ちさせる効果を得ることができる。
【００８２】
また、通水制限板２３は、少なくとも湯水の導入口１４側又は吐出口１３側のいずれか一方又は両方に設けられる構成であればよく、これらに加えて、炭酸入浴錠剤Ｔを全周に亘って包囲するように通水制限板２３を設けることができ、更に、通水制限板２３を、炭酸入浴錠剤Ｔを包囲して収容可能な構成に形成し、錠剤収容部２１を兼ねる構成とすることもできる。かかる構成については、後述する実施例３において説明する。
【００８３】
通水制限板２３は、炭酸入浴錠剤Ｔの移動を制限する役割も果たし、湯水の導入口１４側及び吐出口１３側の両方に通水制限板２３が設けられた構成によれば、これらの導入口
側通水制限板２３Ａ及び吐出口側通水制限板２３Ｂに炭酸入浴錠剤Ｔが挟まれて収容される態様となり、該錠剤Ｔが水流によって流出することを防ぎ、炭酸入浴錠剤収容部２１に止まらせることができる。
【００８４】
図１又は図２に示されるように、通水制限板２３が、湯水の導入口１４側及び吐出口１３側の両側に設けられる場合には、炭酸入浴錠剤Ｔを囲い込む構成を採用することができる。また、前記したように、通水制限板２３に凹部２３Ｃを設けることで、炭酸入浴錠剤Ｔを縦収容方向に支持・固定することができる。
【００８５】
通水制限板２３は、通過可能な水量が異なるものを複数用意し、炭酸入浴錠剤Ｔの溶解速度を調整するため、これらを選択して取り替えることができる。即ち、炭酸入浴錠剤Ｔの溶解速度を早くしたい場合には、通過可能な水量が多い通水制限板２３を使用し、反対に、炭酸入浴錠剤Ｔの溶解速度を遅くしたい場合には、通過可能な水量が少ない通水孔を有する通水制限板２３を使用することができる。
【００８６】
通水制限板２３を、複数の通水孔２３Ｄが設けられた開孔板によって形成する場合には、通水孔２３Ｄの大きさと数量を変えることによって、通過可能な水量を変更することができる。また、通水制限板２３を、メッシュ体の如き網状体によって形成する場合には、網の粗密を変えることによって、通過可能な水量を変更することができる。
【００８７】
また、炭酸入浴錠剤Ｔの溶解速度を変える手段として、上記のように、通過可能な水量が異なる通水制限板２３に交換する手段の他、通過可能な水量を変化させることができる通水制限板２３を使用する手段を採用することもできる。例えば、通水孔２３Ｄの大きさと数量が異なる２枚の開孔板を重ね合わせて一の通水制限板２３を形成し、この２枚の開孔板の一方又は両方を回転させて、湯水が通過可能な通水孔２３Ｄの大きさや数量を調整することで開孔率を変更し、通水制限板２３を通過可能な水量を変化させる手段を挙げることができる。
【００８８】
通水制限板２３は、炭酸ガスマイクロバブル発生部２から取り外して使用することが可能である。例えば、シャワーを短時間で浴びなければならない場合、通水制限板２３を取り外してシャワー吐出することで、炭酸入浴錠剤Ｔの溶解速度を速め、短時間で溶解するようにしてもよい。この場合、シャワー吐出される炭酸ガスマイクロバブル混合水の炭酸濃度が高く、短時間で十分な血行促進等の効果を得ることができる。
【００８９】
本発明に係るシャワー機器１は、図６に示されるように、炭酸入浴錠剤収容部２１と通水制限板２３とを、１つのカートリッジ体として、炭酸ガスマイクロバブル発生部２から分離可能、即ち着脱可能な構成にすることができる。この場合、分離されたカートリッジ体の炭酸入浴錠剤収容部２１に、炭酸入浴錠剤Ｔを収容した後、このカートリッジ体を炭酸ガスマイクロバブル発生部２に装填することができる。
かかる構成を採用することによって、炭酸入浴錠剤Ｔの交換作業を容易化することができ、更に、このカートリッジ体をシャワー機器１から取り外した状態で使用することによって、通常のシャワー機器として使用することもできる。
【００９０】
また、分離されたカートリッジ体の通水制限板２３は、カートリッジ体から取り除くことができ、この通水制限板２３がない状態のカートリッジ体を炭酸ガスマイクロバブル発生部２に装填することもできる。
更に、分離されたカートリッジ体の通水制限板２３を、他の通水制限板２３（例えば、開孔の大きさや数を変えることによって、通過可能な水量が異なるもの。）に取り替えることができる。
【００９１】
このように、通水制限板２３を取り除いたり、他のものに取り替えることによって、炭酸ガスマイクロバブル発生部２を通過する水量を調整することができ、これにより、炭酸入浴錠剤Ｔの溶解速度を調整することができる。
【００９２】
上記カートリッジ体は、炭酸入浴錠剤収容部２１と通水制限板２３から構成されるが、炭酸入浴錠剤Ｔを収容する部分である錠剤収容部２１のみを着脱可能な構成にすることもできる。
シャワー胴部１２との着脱可能な構成及び着脱手段については、この種の技術分野における公知公用の技術を特別の制限なく採用することができる。例えば、シャワー胴部１２の側面の一部に扉（図示しない）を設け、この扉を開閉することで、カートリッジ体を着脱することができる。この扉にはパッキング等の止水手段が設けられ、この扉が閉じられた状態では、シャワー胴部を通過する湯水が漏水しない構成であることが好ましい。
【００９３】
カートリッジ体について、他の実施例を挙げる。
通水制限板２３が、炭酸入浴錠剤Ｔを包囲して収容可能であり、この通水制限板２３が炭酸入浴錠剤収容部２１を兼ねる構成として１つのカートリッジ体を形成することができる。このカートリッジ体は、上記と同様に、炭酸ガスマイクロバブル発生部２から分離可能な構成である。
この分離されたカートリッジ体に、炭酸入浴錠剤Ｔが収容された後、このカートリッジ体を炭酸ガスマイクロバブル発生部２に転動可能に収容することができる。
【００９４】
このカートリッジ体は、通水制限板２３によって炭酸入浴錠剤Ｔを包囲して収容する構成であるため、湯水の導入口１４側からの水流のみならず、全方向からの水流の通水を制限することができる。そのため、このカートリッジ体を炭酸ガスマイクロバブル発生部２に転動可能に収容し、水流によってあらゆる方向に転動したとしても、炭酸入浴錠剤Ｔへの水流は制限され、溶解速度を緩慢にさせるという効果を得ることができる。
このカートリッジ体を採用した例として、実施例３を後述する。
【００９５】
尚、錠剤収容部２１を兼ねる通水制限板２３からなるカートリッジ体は、マイクロバブル発生部２に転動可能に収容される構成である他、マイクロバブル発生部２のいずれかの個所に着脱可能に固着するように収容されてもよい。
【００９６】
マイクロバブル発生部２の配設位置として、下記（１）〜（３）の構成を挙げることができる。
（１）シャワー銅部１２に配設される構成（例えば、図７に示される位置）
（２）シャワーヘッド部１１とシャワー胴部１２との間、又はシャワーヘッド部１１とシャワー胴部１２との結合部乃至は該結合部を跨いで配設される構成（例えば、図８に示される位置）
（３）シャワー胴部１２とホース３との間、又はシャワー胴部１２とホース３との結合部（ホース接続部）乃至は該結合部（ホース接続部）を跨いで配設される構成（例えば、図９に示される位置）
（４）シャワーヘッド部１１に配設される構成（例えば、後述する実施例３の構成であって、図１６に示される位置）
【００９７】
上記（１）に示される構成の場合、図７に図示されるシャワー胴部１２の中央付近に配設される他、シャワーヘッド部１１側又はホース３側の端部付近に配設される構成としてもよい。また、図１に示されるように、シャワー胴部１２の導入口１４側の端部に設けられ、シャワー胴部１２とホース接続部１５に挟まれる態様に配設されてもよいし、シャワー胴部１２を任意の位置で長手方向に分割し、この分割された位置にマイクロバブル発生部２が挟まれる態様に配設されてもよいし、更に、シャワー胴部１２の内部に内蔵される
構成であってもよい。
【００９８】
上記（２）に示される構成の場合、図８に図示されるシャワーヘッド部１１とシャワー胴部１２の結合部乃至は該結合部を跨いで配設される構成の他、シャワーヘッド部１１とシャワー胴部１２との間にマイクロバブル発生部２が挟まれる態様で配設される構成としてもよい。
【００９９】
上記（３）に示される構成の場合、シャワー胴部１２とホース３との間にマイクロバブル発生部２が挟まれる態様で配設され、ホース３の始端部がマイクロバブル発生部２に接続される構成の他、図９に示されるように、シャワー胴部１２とホース３との結合部（ホース接続部１５）乃至は該結合部（ホース接続部１５）を跨いで配設される構成としてもよい。
上記（４）に示される構成の場合については、後述する実施例３において詳述する。
【０１００】
マイクロバブル発生部２、特に錠剤収容部２１を透明合成樹脂材等の透明性を有する材料で形成することにより、該錠剤支持部２に収容される炭酸入浴錠剤Ｔが、シャワー機器１の外部から目視可能な構成とすることもできる。かかる構成によれば、マイクロバブル発生部２に収容された炭酸入浴錠剤Ｔの有無や溶解の程度を、シャワー機器１の外部から容易に把握することができる。
【０１０１】
また、マイクロバブル発生部２が、シャワー胴部に内蔵される構成である場合には、シャワー胴部１２の少なくとも一部と、その内部の通水路を構成する部材の少なくとも一部を透明性を有する材料で形成することにより、シャワー機器１の外部から通水路内を流れる湯水を目視可能な構成とすることもできる。更にまた、マイクロバブル発生部２が、シャワーヘッド部１１に内蔵される構成である場合には、シャワーヘッド部１１の少なくとも一部と、その内部の通水路を構成する部材の少なくとも一部を透明性を有する材料で形成することにより、シャワー機器１の外部から通水路内を流れる湯水を目視可能な構成とすることもできる。かかる構成によれば、炭酸入浴錠剤Ｔが湯水に溶解しているか否かや有無、即ち、マイクロバブルが発生しているか否かをシャワー機器１の外部から容易に視認することができる。
【０１０２】
図１又は図２に示される実施例では、錠剤収容部２１の導入口１４側端部に、接続部２４が設けられた構成である。この接続部２４を取り外すことで、導入口側通水制限板２３Ａを取り外し、炭酸入浴錠剤Ｔを出し入れすることができる構成である。図１又は図２に示される実施例では、この接続部２４が設けられることによって、マイクロバブル発生部２が開閉機構を有することになる。
【０１０３】
接続部２４の他端には、ホース接続部１５が設けられ、ホース３と接続することができる。尚、ホース接続部１５を設けず、シャワー胴部１２とホース３とを直接接続する構成を採用してもよい。
接続部２４の形態に限定はないが、錠剤収容部２とホース接続部１５のと接続は、強い水圧が加えられたとしても離脱することがないように、螺合又は嵌合によるものが好ましく、他にロック機構等を設けることもできる。
【０１０４】
シャワー機器１を構成する各部材の結合箇所には、必要に応じてパッキング等の止水部材が設けられ、通水路から外部に湯水が漏れ出すことを防止することができる。特に、シャワー胴部１２と錠剤収容部２１との結合箇所、錠剤収容部２１と接続部２４との結合箇所、又は接続部２４とシャワー胴部１２又はホース接続部１５との結合箇所など、脱着が可能な結合箇所については、止水部材が設けられることが好ましい。
【０１０５】
本発明に係るシャワー機器１は、シャワー胴部１２にマイクロバブル発生部２が設けられ、このマイクロバブル発生部２の錠剤収容部２１に、炭酸入浴錠剤Ｔが収容される構成であるが、この構成に変えて、例えば、シャワーヘッド部１１にマイクロバブル発生部２を設け、炭酸入浴錠剤Ｔを収容することもできる。シャワーヘッド部１１に炭酸入浴錠剤Ｔを収容したシャワー機器１については、後述する実施例３において詳述する。
【０１０６】
本発明に用いる炭酸入浴錠剤は、重炭酸塩と有機酸からなりポリエチレングリコールの存在下に圧縮成形され、直径が２０ｍｍ以上で、厚みが直径より薄肉であり、硬度が１５ｋｇｆ以上、水に溶解した場合のＰＨが５．５から８．５であることが好ましい。この条件の炭酸入浴錠剤を用いることにより、炭酸ガス成分の発生がミクロサイズでかつシャワーの使用時間程度の長時間溶解が持続し、かつ発生した炭酸成分は体への接触で十分に経皮吸収されやすいイオン状態にすることができ、入浴ではないシャワーであっても十分血行促進等の健康増進効果の向上が得ることができる。
【０１０７】
本発明のこの効果は、重炭酸塩に対する、ポリエチレングリコール（ＰＥＧ）の量及び有機酸の量を規定し、それぞれを一定比率内の条件で混合し、圧縮成型をして錠剤を作る際、錠剤の直径を２０ｍｍ以上とし、厚みが直径より薄肉であり、硬度を１５ｋｇｆ以上の高い硬度に作成し、溶解後のＰＨを５．５から８．５にすることで、効果が最大に発揮される。
【０１０８】
なお、本発明において使用される無水物は、好ましくは無水炭酸ナトリウム、無水炭酸カリウムから選ばれる。重炭酸塩量の１／１０〜１／１００量だけ使用すること、特に１／１０〜１／５０量だけ使用することにより、本発明の効果を好ましく発揮できた。特に効果を最大に発揮する無水物としては無水炭酸ナトリウムが挙げられる。
【０１０９】
更に、打錠のための滑沢剤を添加することができ、重炭酸塩造粒物Ａにクエン酸と無水物を加え、さらにポリエチレングリコールを加えて混合し、さらに離型剤を使用することができるが、この離型剤としては、一般的にショ糖やステアリン酸マグネシウムなどほとんどの場合が不溶解性物質が使われていた。これら溶解しない離型剤は温泉の濁り感を出すためにも積極的に使われていたが、マイクロバブル発生をシャワーヘッドで行わせる場合はシャワーの細孔が目詰まりし好ましくない現象を引き起こす。本発明では特に好ましい化合物としてｎ−（ノルマル）オクタンスルフォン酸ナトリウムやラウリルスルフォン酸ナトリウム、ラウロイルサルコシン酸ナトリウム、ミリストイルメチルアラニンナトリウムなどから選ばれる１種を含むことで、本発明に係る錠剤を完全溶解させ透明なシャワー水を得ることができ、シャワーヘッドの目詰まりもなく、日常の清掃が簡単にでき、錠剤の製造においても長期に安定的に連続打錠が可能で、かつ高速に圧縮成型でき好ましい。また、本発明に係る錠剤が湯水に溶解された際、ミクロサイズの発泡を行わせ、溶解後のこの湯水の洗浄効果など維持する上でも最も好ましい離型剤として用いられる。
【０１１０】
錠剤を作製する圧縮成形には、公知の圧縮成形機を特別の制限なく使用でき、例えば、油圧プレス機、単発式打錠機、ロータリー式打錠機、ブリケッティングマシンなどを用いることができる。この打錠機などに用いる杵の大きさは、杵が円形である場合は直径が２０ｍｍ以上であることが好ましく、杵が三角形や四角形の場合、円形杵に換算して一辺の長さが２０ｍｍ以上となるものが好ましい。そして杵の厚みについても同様である。円形の打錠品を得る場合、錠剤の直径は２０ｍｍ以上とされ、厚みが直径より薄肉とされることが好ましく、三角形や四角形等の錠剤とされる場合、円形錠剤に換算して、一辺の長さが２０ｍｍ以上であって、厚みが直径より薄肉、とされる。
【０１１１】
上記のように、錠剤は必ずしも平面を持つ円形でなくてもよく、一辺の長さが２０ｍｍ以上の固形物で、好ましくは硬度が１５ｋｇｆ以上であれば、楕円形でもタブレットでも
球体でも、錠剤の範疇であれば形は何ら制限されない。
【０１１２】
堅い固体中でミクロサイズの発泡をゆっくり起こし、液中への炭酸ガスの溶解がより効率的に行われれば、どのような形状でもよく、特に好ましい硬度は２５ｋｇｆ以上であり、硬度は高いほど錠剤中での炭酸ガスの発生により浴中への炭酸ガスが溶解しやすくなり、泡の径などが細かくなっていることが推定され、好ましい結果を生じる。
【０１１３】
本発明における硬度は、岡田精工社製デジタル錠剤硬度計ニュー・スピード・チェッカーＴＳ７５Ｎを用いて測定した値を基準とする。原則として、これを４回測定し、その平均値を採用する。
【０１１４】
本発明の炭酸入浴錠剤として、着色成分及び／又は芳香成分を含有する構成とすることもできる。かかる構成によれば、シャワー吐出される湯水に炭酸ガス成分が混合している状態を利用者が容易に把握実感することが可能となる。即ち、着色成分を含有させた構成によれば、シャワー吐出される湯水が溶解した着色成分によって着色されることにより炭酸入浴錠剤が溶解していることがわかり、芳香成分を含有させた構成によれば、シャワー吐出される湯水が溶解した芳香成分によって芳香を放つことにより炭酸入浴錠剤が溶解していることがわかり、湯水が透明になるか、無香になることによって、炭酸入浴錠剤が全て溶解して無くなったことを把握することができる。従って、新規の炭酸入浴錠剤の収容時期が容易にわかるだけでなく、湯水の着色及び／又は芳香によって、炭酸ガス成分が湯水に混合している状態であることを五感によって認識することができる。
【０１１５】
炭酸入浴錠剤に含有することのできる着色成分としては、入浴剤に用いられる公知公用の天然又は合成の着色剤・着色料を特別の制限なく用いることができる。
また、炭酸入浴錠剤に含有することのできる芳香成分としては、入浴剤や洗顔料・石鹸等に用いられる公知公用の天然又は合成の芳香剤・香料を特別の制限なく用いることができる。
【０１１６】
特に、炭酸入浴錠剤に着色成分を含有する構成とした態様では、前述したタブレット収容部を透明性を有する材料で形成した構成や、シャワーヘッド部及び／又はシャワー胴部の少なくとも一部とその内部の通水路を構成する部材の少なくとも一部を透明性を有する材料で形成した構成と併用することにより、炭酸入浴錠剤の有無や溶解の程度を更に容易に把握することができる。
【０１１７】
＜実施例＞
・実施例１
図１０に、本発明に係るシャワー機器１の具体的な実施例１の分解斜視図を示す。
実施例１に係るシャワー機器１は、炭酸入浴錠剤収容部２１、錠剤支持部２２、通水制限板２３Ａ・２３Ｂ、接続部２４から構成される炭酸ガスマイクロバブル発生部２が、シャワー胴部１２に配設された例である。
【０１１８】
錠剤収容部２１は、吐出口１３側の端部が、シャワーヘッド部１１と連結されたシャワー胴部１２の端部と結合される。
錠剤収容部２１は、透明性を有する材料によって形成されており、収容される炭酸入浴錠剤Ｔ等が外部から目視可能な構成である。
錠剤収容部２１の側周面の一部には、第１係合部２１Ａが設けられ、後述する接続部２４に設けられた第１被係合部と嵌合し、これを３６０度以内の回転を加えて捻ることで係合される。
【０１１９】
通水制限板２３は、錠剤収容部２１の導入口１４側には導入口側通水制限板２３Ａが配
置され、吐出口１３側には吐出口側通水制限板２３Ｂが配置される。
【０１２０】
図１０に示されるように、導入口側通水制限板２３Ａは、接続部２４に設けられ、マイクロバブル発生部２を構成する各部が組み立てられた状態において、錠剤収容部２１の導入口１４側の端部に配設される。
【０１２１】
図１１に、導入口側通水制限板２３Ａをシャワーヘッド部１１側から観察した概略平面図を示す。導入口側通水制限板２３Ａは、平面視円形であって、その中央部に複数個からなる通水孔２３Ｄが設けられ、外形の周縁には、切り欠きによって外側通水孔２３Ｅが設けられる。通水孔２３Ｄ及び外側通水孔２３Ｅについては、後に詳述する。
【０１２２】
吐出口側通水制限板２３Ｂは、錠剤収容部２１の吐出口１３側の端部に配設される。
図１２の左側に、吐出口側通水制限板２３Ｂをホース接続部１５側から観察した概略平面図を示す。また、図１２の右側に、吐出口側通水制限板２３Ｂをシャワー胴部１２の側面方向から観察した概略側面図を示す。
吐出口側通水制限板２３Ｂは、上下辺が曲線の平面視矩形であって、複数個からなる通水孔２３Ｄが設けられる。また、図１２に示されるように、吐出口側通水制限板２３Ｂには、錠剤支持部２２と、係合部２３Ｆが設けられる。
【０１２３】
錠剤支持部２２は、対をなす２枚の壁状体であって、この一対の壁状体が通水方向Ｗに沿って相対向して形成される。炭酸入浴錠剤Ｔが、錠剤収容部２１に収容される場合には、この一対の壁状体に炭酸入浴錠剤Ｔが挟持される態様となる。
【０１２４】
第２係合部２３Ｆは、錠剤収容部２１又はシャワー胴部１２に設けられた第２被係合部（図示しない）に係合され、吐出口側通水制限板２３Ｂが、錠剤収容部２１の吐出口１３側の端部に位置するよう固定するための部位である。
第２係合部２３Ｆは、円筒状の小突起であり、この小突起に対応する径に形成された凹状又は開孔状の第２被係合部（図示しない）と係合される。尚、本発明において、第２係合部２３Ｆと第２被係合部の形態は上記構成に限定されず、係合手段として公知公用の技術を特別の制限なく採用することができる。
【０１２５】
ここで、導入口側通水制限板２３Ａに設けられた通水孔２３Ｄ及び外側通水孔２３Ｅについての説明に戻る。
通水孔２３Ｄは、前記した錠剤支持部２２を形成する一対の壁状体の内側を通過する湯水を通すための開孔である。詳述すれば、シャワーヘッド部１１側から通水方向Ｗと平行する方向に向かって観察した場合において、通水孔２３Ｄは、錠剤支持部２２を形成する一対の壁状体の内側の位置に設けられる。
【０１２６】
外側通水孔２３Ｅは、前記した錠剤支持部２２を形成する一対の壁状体の外側を通過する湯水を通すための開孔である。これを詳述すれば、シャワーヘッド部１１側から通水方向と平行する方向に向かって観察した場合において、外側通水孔２３Ｅは、錠剤支持部２２を形成する一対の壁状体の外側の位置に設けられる。
【０１２７】
上記のような構成を採ることによって、通水孔２３Ｄを通過した比較的少量の湯水が、一対の壁状体の内側に収容される錠剤Ｔに接し、他方、外側通水孔２３Ｅを通過した比較的多量の湯水は、一対の壁状体の外側を通過して錠剤Ｔには触れないので、錠剤Ｔに接する水量を制限しつつ、シャワー機器１全体を通過可能な水量を維持することができる。
【０１２８】
接続部２４は、フランジ状の形状に形成され、錠剤収容部２１と導入口１４側のシャワー胴部１２とを接続するために設けられ、シャワー胴部１２とは、螺合によって接続され
る。
接続部２４の内周には、Ｌ字状の溝によって第１被係合部２４Ａが形成され、錠剤収容部２１に設けられた第１係合部２１Ａとの間で係合され、接続部２４と錠剤収容部２１とが接続される。
【０１２９】
第１係合部２１Ａと第１被係合部２４Ａとの接続手段について、図１３に基づいて説明する。第１係合部２１Ａと第１被係合部２４Ａは、第１係合部２１Ａが、第１被係合部２４Ａにシャワー胴部１２の長手方向から進入し、突き当たった後、周回方向に僅か（３６０度以内）に捻られることによって接続される。このように、僅かな捻り動作を加えることで、容易に接続することができ、また反対の動作をすれば、容易に接続を解除することができる。
尚、接続部２４の外周には、滑り止めとして複数の突条片が設けられる。
【０１３０】
・実施例２
図１４に、本発明に係るシャワー機器１の具体的な実施例２の分解斜視図を示す。
実施例２について、実施例１との相違点は、錠剤支持部２２と通水制限板２３Ａ・２３Ｂであり、ここでは当該相違点についてのみ説明し、実施例１との共通点については説明を省略する。
【０１３１】
実施例１は、吐出口側通水制限板２３Ｂに、錠剤支持部２２が設けられる構成であるが、実施例２は、錠剤支持部２２が導入口側通水制限板２３Ａに設けられる構成である。
導入口側通水制限板２３Ａは、マイクロバブル発生部２を構成する各部が組み立てられた状態において、錠剤収容部２１の導入口１４側の端部に配設されると共に、接続部２４の内周に収められる。
【０１３２】
図１５の左側に、導入口側通水制限板２３Ａをシャワーヘッド部１１側から観察した概略平面図を示す。また、図１５の右側に、導入口側通水制限板２３Ａをシャワー胴部１２の側面方向から観察した概略側面図を示す。
図１５の概略平面図に示されるように、導入口側通水制限板２３Ａは、平面視円形であって、比較的小さな複数の開孔からなる通水孔２３Ｄと、比較的大きな開孔からなる外側通水孔２３Ｅが設けられ、更に錠剤支持部２２が設けられる。
【０１３３】
錠剤支持部２２は、実施例１と同様に、対をなす２枚の壁状体であって、この一対の壁状体が通水方向Ｗに沿って相対向して形成される。炭酸入浴錠剤Ｔが、錠剤収容部２１に収容される場合には、この一対の壁状体の間に炭酸入浴錠剤Ｔが配置されるか又は挟持される態様となる。
【０１３４】
通水孔２３Ｄは、前記した錠剤支持部２２を形成する一対の壁状体の内側を通過する湯水を通すための開孔である。詳述すれば、シャワーヘッド部１１側から通水方向Ｗと平行する方向に向かって観察した場合において、通水孔２３Ｄは、錠剤支持部２２を形成する一対の壁状体の内側の位置に設けられる。
【０１３５】
外側通水孔２３Ｅは、前記した錠剤支持部２２を形成する一対の壁状体の外側を通過する湯水を通すための開孔である。これを詳述すれば、シャワーヘッド部１１側から通水方向と平行する方向に向かって観察した場合において、外側通水孔２３Ｅは、錠剤支持部２２を形成する一対の壁状体の外側の位置に設けられる。
【０１３６】
上記のような構成を採ることによって、通水孔２３Ｄを通過した比較的少量の湯水が、一対の壁状体の内側に収容される錠剤Ｔに接し、他方、外側通水孔２３Ｅを通過した比較的多量の湯水は、一対の壁状体の外側を通過して錠剤Ｔには触れないで吐出されるので、
錠剤Ｔに接する水量を制限しつつ、シャワー機器１全体を通過可能な水量を維持することができる。
【０１３７】
吐出口側通水制限板２３Ｂは、錠剤収容部２１の吐出口１３側の端部に配設される。
吐出口側通水制限板２３Ｂは、平面視円形であって、複数の通水孔２３Ｄが設けられる。
吐出口側通水制限板２３Ｂは、これを通過する水量を制限するというよりも、錠剤収容部２１を通過する湯水をシャワーヘッド部１１側へ滞りなく通過させつつ、炭酸入浴錠剤Ｔがシャワーヘッド部１１側へ流出することを防止する作用が大きい。
【０１３８】
・実施例３
図１６に、本発明に係るシャワー機器１の具体的な実施例３の概略構成図を示す。
実施例３に係るシャワー機器１は、シャワー胴部１２を有さず、シャワーヘッド部１１がホース３に直接に又はホース接続部１５を介して接続されている例である。シャワーヘッド部１１には、透明性を有する材料によって形成されている錠剤収容部２１が設けられ、吐出口１３を形成してある散水板との間で、公知の開閉機構によって取り外し及び閉塞可能に固定されている。即ち、公知のワンタッチ開閉機構によって、吐出口１３を形成してある散水板をシャワーヘッド部１１を基準に３６０度以内の回動操作することによって、取り外し又は閉塞できる構成である。上記公知のワンタッチ開閉機構については、例えば、図１３に示される係合手段等を採用することができる。
【０１３９】
以下、実施例３に係るシャワー機器１について、具体的に説明する。
実施例３に係るシャワー機器１は、シャワー胴部１２を有さず、シャワーヘッド部１１が、ホース接続部１５を介してホース３に接続された構成である。
シャワーヘッド部１１には、マイクロバブル発生部２が設けられる。
【０１４０】
通水制限板２３は、マイクロバブル発生部２に固定されず、シャワーヘッド部１１内において転動可能な構成であり、取り外しも可能である。
通水制限板２３は、炭酸入浴錠剤Ｔを包囲して収容可能な形態に形成されており、炭酸入浴錠剤収容部２１を兼ねる構成である。この錠剤収容部２１を兼ねた通水制限板２３は、マイクロバブル発生部２から分離可能なカートリッジ体であって、この分離されたカートリッジ体に、炭酸入浴錠剤Ｔが収容された後、このカートリッジ体がマイクロバブル発生部２に転動可能に収容される構成である。
このカートリッジ体は、炭酸入浴錠剤Ｔの外形を包囲可能な形態であり、いずれかの部分に開閉機構（図示しない）が設けられ、炭酸入浴錠剤Ｔの交換・装填が可能である。
【０１４１】
シャワーヘッド部１１の吐出口１３を形成する散水板は、ワンタッチ開閉機構によって脱着が可能な構成である。ワンタッチ開閉機構については、例えば、図１３に示される係合手段が採用される。即ち、吐出口１３を形成する散水板が、開閉機構を構成し、この散水板を脱着することで、マイクロバブル発生部２は開閉され、上記カートリッジ体の出し入れが可能となる。
【０１４２】
マイクロバブル発生部２に転動可能に収容されたカートリッジ体は、導入口１４から吐出口１３へ向かう湯水の水流によって転動するが、カートリッジ体に収容された炭酸入浴錠剤Ｔは、全体を通水制限板２３によって包囲されており、いかなる位置・方向に転動したとしても、炭酸入浴錠剤Ｔの溶解速度を緩慢にさせ、最適な濃度の炭酸ガスマイクロバブル混合水を吐出することができる。
【０１４３】
シャワーヘッド部１１は、少なくとも一部が透明性を有する材料によって形成される。また、通水制限板２３によって形成されるカートリッジ体も、同じく少なくとも一部が透
明性を有する材料によって形成される。これにより、炭酸入浴錠剤Ｔが、シャワー機器１の外部から目視可能となり、炭酸入浴錠剤Ｔの有無や溶解の程度を、シャワー機器１の外部から容易に把握することができる。
【０１４４】
尚、錠剤収容部２１を兼ねる通水制限板２３からなるカートリッジ体は、マイクロバブル発生部２に転動可能に収容される構成である他、マイクロバブル発生部２のいずれかの個所に着脱可能に固着するように収容される構成を採用することもできる。
【符号の説明】
【０１４５】
１  シャワー機器
１１  シャワーヘッド部
１２  シャワー胴部
１３  吐出口
１４  導入口
１５  ホース接続部
２  炭酸ガスマイクロバブル発生部
２１  炭酸入浴錠剤収容部
２１Ａ  第１係合部
２２  錠剤支持部
２３  通水制限板
２３Ａ  導入口側通水制限板
２３Ｂ  吐出口側通水制限板
２３Ｃ  凹部
２３Ｄ  通水孔
２３Ｅ  外側通水孔
２３Ｆ  第２係合部
２４  接続部
２４Ａ  第１被係合部
３  ホース
Ｔ  炭酸入浴錠剤
Ｗ  通水方向
【図１】
0006268226.tif 000002
【図２】
0006268226.tif 000003
【図３】
0006268226.tif 000004
【図４】
0006268226.tif 000005
【図５】
0006268226.tif 000006
【図６】
0006268226.tif 000007
【図７】
0006268226.tif 000008
【図８】
0006268226.tif 000009
【図９】
0006268226.tif 000010
【図１０】
0006268226.tif 000011
【図１１】
0006268226.tif 000012
【図１２】
0006268226.tif 000013
【図１３】
0006268226.tif 000014
【図１４】
0006268226.tif 000015
【図１５】
0006268226.tif 000016
【図１６】
0006268226.tif 000017